(57)【要約】【課題】感圧接着剤層を２箇所備え、該感圧接着剤層を互いに押し圧させて接着させることによって、対象物に巻きつけることを可能とする巻きつけラベルにおいて、一度、対象物に巻きつけられた、巻きつけラベルの再使用が防止されることが可能な、再使用防止機能付巻きつけラベルを提供する。【解決手段】基材シートの任意の２箇所において、感圧接着剤層を有する領域を感圧接着剤層領域としたときに、上記感圧接着剤層領域の少なくとも一方の領域において、巻きつけラベルの巻きつけ方向の一方側に向かって凸の頂点を有する切り込み部を、連続または非連続の切り込み線により少なくとも１つ形成する。【選択図】図４
2011081279.tif 000002
【特許請求の範囲】
【請求項１】
基材シート上面に部分的に感圧接着剤層が２箇所形成され、これによって上記感圧接着剤層を有する感圧接着剤層領域を２箇所備え、
一方の感圧接着剤層領域から、他方の感圧接着剤層領域に向かって示される方向を巻きつけ方向としたときに、
上記感圧接着剤層領域の少なくとも一方の領域において、
上記巻きつけ方向の一方側に向かって凸の頂点を有する切り込み部が、連続または非連続の切り込み線により少なくとも１つ形成されていることを特徴とする再使用防止機能付き巻きつけラベル。
【請求項２】
上記２箇所の感圧接着剤層領域における感圧接着剤層を互いに圧着させることによって接着領域が形成された際に、
上記巻きつけ方向の一方側に向かう凸の頂点と、他方側に向かう凸の頂点とが上記接着領域において少なくとも１つずつ存在することを特徴とする請求項１に記載の再使用防止機能付き巻きつけラベル。
【請求項３】
上記２箇所の感圧接着剤層が、基材シートの一方面側に設けられており、
巻きつけ前の状態で観察した際に、
一方の感圧接着剤層領域において、上記切り込み部が、巻きつけ方向の一方側に向かう凸の頂点と、他方側に向かう凸の頂点とを少なくとも１つずつ備えて形成されているか、
あるいは、
２箇所の感圧接着剤層領域それぞれにおいて、上記巻きつけ方向の少なくとも一方側に向かって凸の頂点を有する切り込み部が少なくとも１つ形成されていることを特徴とする請求項１または２に記載の再使用防止機能付き巻きつけラベル。
【請求項４】
上記感圧接着剤層の１箇所が、基材シートの一方面側に設けられており、他方の感圧接着剤層が、基材シートの他方面側に設けられており、
巻きつけ前の状態で観察した際に、
一方の感圧接着剤層領域において、上記切り込み部が、上記巻きつけ方向の一方側に向かう凸の頂点と、他方側に向かう凸の頂点とを少なくとも１つずつ備えて形成されているか、
あるいは、
一方の感圧接着剤層領域において、上記巻きつけ方向の一方側に向かって凸の頂点を有する切り込み部が少なくとも１つ形成されており、且つ、他方の感圧接着剤層領域において、上記巻きつけ方向の他方側に向かう凸の頂点を有する切り込み部が少なくとも１つ形成されていることを特徴とする請求項１または２に記載の再使用防止機能付き巻きつけラベル。
【発明の詳細な説明】
【技術分野】
【０００１】
本発明は、対象物に巻きつけて使用することを予定する巻きつけラベルに関し、より詳しくは、一度、対象物に巻きつけて使用したラベルの再使用を防止する機能を有する、巻きつけラベルに関する。
【背景技術】
【０００２】
従来から、鉄道や電車等の駅前に、乗客がオートバイや自転車等の二輪車を一時的に駐車できる駐輪場が備えられており、また、スーパーマーケットやデパート等においても、買物客用の一時駐輪場が備えられている。これらの駐車場においては、整理員がオートバイや自転車等を整理し、管理し、乗客等の目的を達成した後にオートバイや自転車等を引き渡すことが頻繁に行われている。上記駐輪場において、該二輪車の駐輪状態を示すための駐輪券として、ハンドルなどの任意の箇所に巻きつけられる、巻きつけラベルが使用されている。
【０００３】
また、スーパーマーケットなどでは、店内において購入する商品を店舗の用意した買い物カゴに入れ、最後に精算所に行き、清算を済ませた後に、精算所で渡された店の袋か、あるいは持参した袋に購入した商品を詰めることが一般的である。しかしながら清算後の商品を袋に詰める作業台は、清算所を通過した者以外も容易に行き来することができるため、商品の入った買い物カゴを有する人が、精算所を通過した人なのか、未清算の商品を持っている人なのかは、容易に見分けがつかないという問題があった。そこで、清算所において、清算時に、買い物カゴの柄などの任意の箇所に、清算済みを示す巻きつけラベルを巻きつけることによって、買い物カゴに入った商品が清算済みか否かを容易に見分けることができる。
【０００４】
上記巻きつけラベルは、対象物の任意の箇所に巻きつけて留め合わせるだけでよいので、容易且つ短時間に使用することができ、ラベルに示す表記の内容によって、駐輪状態であることや、清算済みであることなど、所望のメッセージを見やすく表示することができる。
【０００５】
従来においては、上記巻きつけラベルとして、ラベルの両端を重ね合わせ、ホチキスなどの留め部材で留め合わせるものが使用されていたが、ホチキスなどの使用は、多数の巻きつけラベルを、短時間で留め合わせることが必要な場合には、繰り返しの作業が作業員の負担になるという問題があった。そこで、本出願人は、先に、感圧接着剤層を備える一時駐車整理券を開発した（たとえば特許文献１）。かかる一時駐車整理券では、２箇所の感圧接着剤層同士が互いに圧着されることによって、容易に対象物にラベルを巻きつけることができるため、従来の巻きつけラベルと比較して、巻きつけ作業の負担が著しく軽減される。
【先行技術文献】
【特許文献】
【０００６】
【特許文献１】特願２０００−２５２２７６号公報
【発明の概要】
【発明が解決しようとする課題】
【０００７】
ここで、上記巻きつけラベルは、通常、一度きりの使用を予定しており、使用した後は、廃棄されることが望ましい。
したがって、本出願人が開発した感圧接着剤層を備える一時駐車整理券などの巻きつけラベルにおいても、巻きつけられたラベルの切り離しを容易にするために、巻きつけラベルの長軸方向に対して、略垂直の方向にミシン目の切り取り線を設けたり、あるいは、巻きつけラベルを構成する基材シートとして、厚みの薄い紙素材を選択するなどしていた。
【０００８】
しかしながら、２箇所の感圧接着剤層を互いに圧着して接着領域を形成し、対象物に巻きつけラベルを巻きつけた状態とした後、圧着された２つの感圧接着剤層を、丁寧に引き剥がすと、破損することなく、巻きつけラベルを取り外すことが可能である。このように、実質的に破損がない状態で取り外された巻きつけラベルを、再使用する違反者が存在し、問題であった。
【０００９】
本発明は、上記問題点を鑑みなされたものであり、一度、対象物に巻きつけられた、巻きつけラベルの再使用が防止されることが可能な、再使用防止機能付巻きつけラベルを提供することを目的とするものである。
【課題を解決するための手段】
【００１０】
本発明は、基材シートにおいて感圧接着剤層を有する感圧接着剤層領域を２箇所備え、上記感圧接着剤層を互いに圧着させることによって巻きつけ状態を実現する、巻きつけラベルであって、上記感圧接着剤層領域の少なくとも一方側において、巻きつけ方向に凸の頂点を有する切り込み部が設けられていることを基本的特徴とするものである。
【００１１】
即ち本発明は、
（１）基材シート上面に部分的に感圧接着剤層が２箇所形成され、これによって上記感圧接着剤層を有する感圧接着剤層領域を２箇所備え、一方の感圧接着剤層領域から、他方の感圧接着剤層領域に向かって示される方向を巻きつけ方向としたときに、上記感圧接着剤層領域の少なくとも一方の領域において、上記巻きつけ方向の一方側に向かって凸の頂点を有する切り込み部が、連続または非連続の切り込み線により少なくとも１つ形成されていることを特徴とする再使用防止機能付き巻きつけラベル、
（２）上記２箇所の感圧接着剤層領域における感圧接着剤層を互いに圧着させることによって接着領域が形成された際に、上記巻きつけ方向の一方側に向かう凸の頂点と、他方側に向かう凸の頂点とが上記接着領域において少なくとも１つずつ存在することを特徴とする上記（１）に記載の再使用防止機能付き巻きつけラベル、
（３）上記２箇所の感圧接着剤層が、基材シートの一方面側に設けられており、巻きつけ前の状態で観察した際に、一方の感圧接着剤層領域において、上記切り込み部が、巻きつけ方向の一方側に向かう凸の頂点と、他方側に向かう凸の頂点とを少なくとも１つずつ備えて形成されているか、あるいは、２箇所の感圧接着剤層領域それぞれにおいて、上記巻きつけ方向の少なくとも一方側に向かって凸の頂点を有する切り込み部が少なくとも１つ形成されていることを特徴とする上記（１）または（２）に記載の再使用防止機能付き巻きつけラベル、
（４）上記感圧接着剤層の１箇所が、基材シートの一方面側に設けられており、他方の感圧接着剤層が、基材シートの他方面側に設けられており、巻きつけ前の状態で観察した際に、一方の感圧接着剤層領域において、上記切り込み部が、上記巻きつけ方向の一方側に向かう凸の頂点と、他方側に向かう凸の頂点とを少なくとも１つずつ備えて形成されているか、あるいは、一方の感圧接着剤層領域において、上記巻きつけ方向の一方側に向かって凸の頂点を有する切り込み部が少なくとも１つ形成されており、且つ、他方の感圧接着剤層領域において、上記巻きつけ方向の他方側に向かう凸の頂点を有する切り込み部が少なくとも１つ形成されていることを特徴とする上記（１）または（２）に記載の再使用防止機能付き巻きつけラベル、
を要旨とするものである。
【００１２】
尚、本発明における切り込み部は、上述のとおり感圧接着剤層領域に設けられるものであり、当該領域において、基材シートのみを切り込んで形成された切り込み部、および基材シートと感圧接着剤層とを切り込んで形成された切り込み部のいずれも含む。
【発明の効果】
【００１３】
本発明の再使用防止機能付き巻きつけラベル（以下、単に「巻きつけラベル」という場合がある）は、上記感圧接着剤層領域の少なくとも一方側において、巻きつけ方向に凸の頂点を有する切り込み部が設けられている。これにより、圧着された２箇所の感圧接着剤層を引き剥がそうとした場合に、上記切り込み部から破断を生じさせることに成功した。この結果、一度、対象物に巻きつけられた、該巻きつけラベルを破損させることなく取り外すことが不可能となり、もって、巻きつけラベルの再使用を防止することができるようになった。即ち、感圧接着剤層領域において設けられる上記切り込み部の存在により、一度、巻きつけられた巻きつけラベルの圧着された２箇所の感圧接着剤層を引き剥がそうとした際に、再使用防止機能が発揮されるに至った。尚、巻きつけられた巻きつけラベルを取り外す際に、上記感圧接着剤層領域以外の領域を切断することによっても、当然、巻きつけラベルを取り外すことができるが、かかる場合には、巻きつけラベルの一部が切断されるので、再使用が不可能であることはいうまでもない。
【００１４】
本発明者は、上記課題を解決するために、まず感圧接着剤層領域において設けられる切り込み部として、巻きつけラベルの巻きつけ方向に対して略垂直方向に、従来の切り取り線と同等のミシン目を形成することを試みた。しかしながら、圧着された２箇所の感圧接着剤層を丁寧に引き剥がした場合には、当該ミシン目の部分において破断が生じないことを確認した。そして、さらなる検討により、切り込み部を、上述のとおり、巻きつけ方向に凸の頂点を有する形状とすることによって、圧着された２箇所の感圧接着剤層を引き剥がそうとした場合に、上記切り込み部から破断を生じさせることができることを見出したものである。
【００１５】
以上に述べるとおり、本発明の巻きつけラベルは、再使用防止機能が付されたことによって、一時駐車整理券や、清算済みを示すために買い物カゴに巻きつけられるための巻きつけラベルとして使用された後、破損なしに対象物から取り外せないことから、不正な再使用を禁止することができる。尚、本発明の効果として、圧着された２箇所の感圧接着剤層を引き剥がした際に破断が生じる、とは、人が手で２箇所の感圧接着剤層を引き剥がす行為において破断が生じるということを意味する。
【００１６】
また本発明の再使用防止機能付き巻きつけラベルは、上述する一時駐車整理券や、清算済みを示すために買い物カゴに巻きつけられるための巻きつけラベルとしての使用に限定されず、たとえば、イベント会場などにおいて正規入場者であることを示すために、入場者の手首に巻きつけるなど、現在の状況を簡易的に示すためのラベルとして、種々の分野で使用することができる。
【図面の簡単な説明】
【００１７】
【図１】本発明の再使用防止機能付巻きつけラベルの一実施態様を示す上面図である。
【図２】図２Ａ乃至図２Ｄは、本発明の巻きつけラベルにおいて、感圧接着剤層領域に設けられる切り込み部の態様の例を示すための部分上面図である。
【図３】図３Ａ乃至図３Ｃは、本発明の巻きつけラベルにおいて、感圧接着剤層領域に設けられる切り込み部の態様の例を示すための部分上面図である。
【図４】図４Ａは、ラベルの一方側の面に、２箇所の感圧接着剤層領域が設けられた本発明の巻きつけラベルの巻きつけ状態を示す斜視図であり、図４Ｂは、ラベルの両面にそれぞれ感圧接着剤層領域が設けられた本発明の巻きつけラベルの巻きつけ状態を示す斜視図である。
【図５】図５Ａは、図４Ａにおける巻きつけラベルの巻きつけ前の状態を示す側面図であり、図５Ｂは、図５Ａに示す巻きつけラベルの一実施態様を示す上面図であり、図５Ｃは、図５Ａに示す巻きつけラベルの別の実施態様を示す上面図である。
【図６】図６Ａは、図４Ｂにおける巻きつけラベルの巻きつけ前の状態を示す側面図であり、図６Ｂは、図６Ａに示す巻きつけラベルの一実施態様を示す上面図であり、図６Ｃは、図６Ａに示す巻きつけラベルの別の実施態様を示す上面図である。
【発明を実施するための形態】
【００１８】
以下に、図を用いて、本発明の再使用防止機能付き巻きつけラベルを実施するための形態について説明する。
図１は、本発明の一実施態様を示す巻きつけラベル１の上面図である。巻きつけラベル１は、長方形の基材シート２の一方側の上面において、両端に余白を残し、両端寄りに感圧接着剤層６が２箇所、形成されている。またこれによって、基材シート２の感圧接着剤層６が形成された領域が、感圧接着剤層領域３となっている。巻きつけラベル１は、２箇所の感圧接着剤層６が当接されて圧力をかけられることによって互いに接着し、接着した領域が接着領域となる。この結果、２箇所の感圧接着剤層６の内側領域が輪となることによって対象物に巻きつけ可能となるものである。したがって、本発明において、一方の感圧接着剤層領域３から他方の感圧接着剤層領域３に対して示される方向を巻きつけ方向５という。
【００１９】
巻きつけラベル１の一方側の感圧接着剤層領域３には、巻きつけ方向５の一方側（紙面向かって左側）に向かって凸の頂点を有する略Ｖ字形状の切り込み部４が形成されている。切り込み部４が設けられることによって、巻きつけラベル１は、感圧接着剤層６同士を接着させ接着領域を形成することによって対象物に巻きつけられた後、互いに接着する２つの感圧接着剤層６を引き剥がそうとした場合であっても、切り込み部４から破断が生じる。したがって、巻きつけラベル１は、破損なしに対象物から取り外すことができない。尚、本発明における切り込み部は、所望の箇所に型刃を押し当てて切り込む型押し機等を用いて形成されることが一般的であるが、これに限定されず、ミシン目を形成する装置など、基材シートに所望の切り込みを入れることができる従来公知の装置を適宜選択して形成することができる。
【００２０】
本発明における切り込み部は、図１に示される切り込み部４の態様に限定されず、感圧接着剤層領域において、巻きつけ方向の一方側に向かって凸の頂点を有するものであればよい。たとえば本発明における切り込み部は、図２Ａに示す切り込み部１１のように、二本の直線から形成される略八の字形状であって、頂点部分が非切り込み部１２であってもよい。即ち、二本の直線の延長線上に存在する交点が、巻きつけ方向の一方側に向かって凸の頂点となる形状であればよい。このように切り込み部の頂点部分を非切り込み部とする場合には、本発明の巻きつけラベルの形成工程上、あるいは取り扱い上において有利な点を有する。
即ち、本発明において切り込み部は、感圧接着剤層を形成する前の基材シートを所望の形状に切り込むことによって形成されてもよいし、あるいは感圧接着剤層を形成した後の感圧接着剤層領域において所望の形状の切り込みをいれてもよいが、特に切り込みを入れた後に感圧接着剤層を形成する場合には、切り込み部４のように頂点部分が完全に切り込まれていると、当該部分がめくれてしまい、望ましく感圧接着剤層が形成されない虞がある。また完成された巻きつけラベルにおいても、切り込み部の頂点部分のめくれは、望ましくない。これに対し、頂点部分を非切り込み部とすることによって、上述する頂点部分のめくれを良好に防止することができるのである。
【００２１】
尚、本発明において「巻きつけ方向」とは、一方の感圧接着剤層領域の略中央部分と、他方の感圧接着剤層領域の略中央部分を結んで示される方向をいう。また、「巻きつけ方向の一方側に向かって凸の頂点」などの表現における、上記巻きつけ方向に対する切り込み部の頂点の向きは、完全に巻きつけ方向と一致する必要はない。たとえば、巻きつけ方向を左右方向とし、これに対する垂線の伸長方向を上下方向と想定したときに、切り込み部の凸の頂点の方向が、上記垂線の伸長方向と一致する場合には本発明から除外される。これに対し、凸の頂点の方向が上記垂線の伸長方向から外れて左側に向くときには、該頂点は巻きつけ方向の一方側（上記想定では左側）に向いていると解し、また、凸の頂点の方向が上記垂線の伸長方向を外れて右側に向くときには、該頂点は巻きつけ方向の他方側（上記想定では右側）に向いていると解するものとし、このような頂点を備える切り込み部は、いずれも本発明における切り込み部に含まれる。
【００２２】
ただし、互いに接着した感圧接着剤層を引き剥がす際に、より確実に破断を生じさせるという観点からは、切り込み部の頂点の凸方向は、巻きつけ方向を０度としたときに、該巻きつけ方向の両方向において、それぞれ、プラスマイナス６０度以内の方向に向いていることが好ましく、プラスマイナス４５度以内であることがより好ましく、プラスマイナス３０度以内であることがさらに好ましく、巻きつけ方向と略一致する方向であることが特に好ましい。
【００２３】
上記非切り込み部の寸法は、巻きつけラベルの寸法、切り込み部の寸法、感圧接着剤の接着強度等を勘案して適宜決定してよいが、一般的には、非切り込み部を挟む、切り込み部の端部間の距離を、０．１ｍｍ以上１．０ｍｍ以下程度にすることが望ましい。上記距離が０．１ｍｍ未満で形成されるか否かは、主として切り込みを形成する装置の機能により、また、１ｍｍを超えて形成される場合には、感圧接着剤の接着強度等にもよるが、接着された感圧接着剤層を非常に注意深く剥がした場合に、切り込み部における破断が生じない場合がある。
【００２４】
また本発明における切り込み部の別の例としては、図２Ｂに示す切り込み部１３のように、Ｕ字形状であってもよい。このように、本発明における切り込み部は、直線状の切り込みで形成されるものに限定されず、曲線状の切り込みによってＵ字形状、あるいは放物線形状などの形状に形成されていてもよい。かかる態様においては、Ｕ字形状あるいは放物線形状において示される凸の頂点が、本発明における凸の頂点として理解される。また、図２Ｃに示す切り込み部１４のように、Ｕ字形状、あるいは放物線形状の切り込み部の頂点が非切り込み部１２となっていてもよい。図２Ｃにおいて示される非切り込み部１２は、図２Ａにおいて示される非切り込み部と同様であるため、ここでは説明を割愛する。
【００２５】
また本発明における切り込み部の態様としては、図２Ｄに示す切り込み部１５のように、二本の直線で構成されており、一方の直線の端部が他方の直線の端部を除く部分に接触することによって、凸の頂点を示すものであってもよい。また図示はしないが、上述以外にも、切り込み部として、二本の直線（あるいは曲線）が交差することによって示される×字形状であって、交点を中心に形成される４つ角の頂点の少なくとも１つが、巻きつけ方向の一方側に向かう切り込み部であってもよい。
加えて、図示はしないが、本発明における切込み部は、少なくとも、切り込み部４、１１、１３、１４または１５に示される切込み部などの態様を含む、任意の形状であってもよい。
【００２６】
またさらに、本発明に切り込み部は、連続または非連続の切り込み線によって形成されるものであるので、たとえばミシン目等に代表される破線状の線によって形成されていてもよく、また、頂点を除く他の部分が、部分的に非切り込み部となっていてもよい。ただし、いずれの形状の切り込み部であっても、非切り込み部を設け、あるいは破線で形成する場合には、感圧接着剤の接着強度等を勘案し、丁寧に引き剥がした場合であっても、切り込み部において破断が生じるよう、充分に確認して設計する必要がある。
【００２７】
さらに本発明における切り込み部は、図１または図２に示す切り込み部４、１１、１３、１４、または１５に例示される、頂点を１つ有する切り込み部が、複数、連続的に、あるいは非連続的に設けられていてもよい。
たとえば、図３Ａに示す切り込み部１６のように、Ｖ字形状の切り込み部が複数連続するジグザグ線状に形成されていてもよい。図３Ａでは、上記ジグザグ線を２段形成する態様を示したが、該ジグザグ線を１段とするか２段以上とするかは任意である。図３Ａに示される切り込み部１６は、巻きつけ方向５の一方側（紙面に向かって左側）に凸の頂点が８個、他方側（紙面に向かって右側）に凸の頂点が６個設けられている。このように、巻きつけ方向５の両方向に対し、それぞれ凸の頂点を有すること、あるいは複数の頂点を有することによって、さらに接着領域を引き剥がした際の破断を容易に生じさせることができるため望ましい。
【００２８】
また本発明における切り込み部の別の例としは、図３Ｂに示すように、巻きつけ方向５の一方側（紙面に向かって左側）に頂点を有するＶ字状の切り込み部１７を独立して２つ設けた態様であってもよく、また、図３Ｃに示すように、巻きつけ方向５の両方向（紙面に向かって左右方向）において互いに逆向きのＵ字形状の切り込み部が連続的に設けられてなる波線形状の切り込み部１８であってもよい。
【００２９】
以上に説明する切り込み部の態様は、本発明における切り込み部を限定するものではなく、巻きつけ方向に向かう頂点の数や、形状等は、適宜組み合わせて実施することができる。またＶ字状の切り込み部におけるＶの角度についても任意である。一般的には鈍角よりも鋭角の方が、接着領域を引き剥がした際の破断を容易に生じさせることができ、この観点からは、たとえば、切り込み部を構成するＶ字の角度は、１５度以上９０度以下であることが望ましく、３０度以上６０度以下であることがより好ましい。
【００３０】
次に、本発明が、上記２箇所の感圧接着剤層を互いに圧着させることによって接着領域が形成された際に、上記巻きつけ方向の一方側に向かう凸の頂点と、他方側に向かう凸の頂点とが上記接着領域において少なくとも１つずつ存在する態様であってよいことを、図４を用いて説明する。
【００３１】
図４Ａは、本発明の巻きつけラベル３１を対象物２２に巻きつけた状態を示す斜視図である。巻きつけラベル３１は、基材シート２の一方側の上面に、感圧接着剤層２３、２３’が設けられ、基材シート２において感圧接着剤層２３、２３’が形成された領域が、感圧接着剤領域２５となっており、また、感圧接着剤層２３、２３’を向かい合わせて互いに接着させることにより接着領域２１が形成されている。そして接着領域２１には、Ｖ字形状の切り込み部１９、１９’がそれぞれ、巻きつけ方向５の一方側に凸の頂点を有する向き、および他方側に凸の頂点を有する向きで存在している。
【００３２】
図４Ｂは、本発明の巻きつけラベル３２を対象物２２に巻きつけた状態を示す斜視図である。巻きつけラベル３２は、基材シート２の一方側の上面に、感圧接着剤層２４が設けられ、且つ、他方側の上面に感圧接着剤層２４’が設けられている。そして、基材シート２において感圧接着剤層２４、２４’が形成された領域が、感圧接着剤領域２５となっており、また、感圧接着剤層２４、２４’を向かい合わせて互いに接着させることにより接着領域２１が形成されている。そして接着領域２１には、Ｖ字形状の切り込み部１９、１９’がそれぞれ、巻きつけ方向５の一方側に凸の頂点を有する向き、および他方側に凸の頂点を有する向きで存在している。
【００３３】
上述する巻きつけラベル３１、３２のように、対象物に巻きつけた状態において、接着領域２１に、上記巻きつけ方向の一方側に向かう凸の頂点と、他方側に向かう凸の頂点とが少なくとも１つずつ存在することにより、接着領域２１を巻きつけ方向５の一方側から他方側の向き、あるいはその逆の向きのいずれの方向に向かって引き剥がそうとした場合であっても、確実に、切り込み部１９あるいは１９’において破断を生じさせることができるため好ましい。
【００３４】
次に、図４Ａに示す巻きつけ状態を実現するための、巻きつけラベル３１の具体的態様について、図５を用いて説明する。図５Ａは、巻きつけラベル３１の側面図である。上述のとおり、基材シート２の一方面側において、両端に余白を残し、端部寄りに感圧接着剤層２３、２３’がそれぞれ設けられており、基材シート２において、感圧接着剤層２３、２３’が設けられた２箇所の領域がそれぞれ、感圧接着剤層領域２５となっている。
【００３５】
上記巻きつけラベル３１において切り込み部１９、１９’が設けられる１つの態様を図５Ｂに示す。図５Ｂに示す巻きつけラベル３１のように、切り込み部１９、１９’は、２箇所の感圧接着剤層領域２５それぞれにおいて、頂点の向きが巻きつけ方向５において同方向となるように１つずつ設けることができる。このとき、切り込み部１９、１９’の位置は、接着領域２１において重ならないようにずらして形成されているが、これに限定されず、切り込み部１９、１９’は、接着領域２１において重なる位置に設けられていてもよく、接着領域２１において、切り込み部１９、１９’の頂点の方向が、巻きつけ方向５の一方側と他方側とに向いていればよい。
【００３６】
また、図５Ｃに示す巻きつけラベル３１のように、切り込み部１９、１９’の２つを、１箇所の感圧接着剤層領域２５において、巻きつけ方向５の一方側に凸の頂点を有する切り込み部と、他方側に凸の頂点を有する切り込み部として設けてもよい。かかる態様の巻きつけラベル３１であっても、対象物２２に巻きつけた際に、接着領域２１において、図４Ａのような切り込み部が存在する結果となるからである。
【００３７】
次に、図４Ｂに示す巻きつけ状態を実現するための、巻きつけラベル３２の具体的態様について、図６を用いて説明する。図６Ａは、巻きつけラベル３２の側面図である。上述のとおり、基材シート２の一方面側において、端部に余白を残し、端部寄りに感圧接着剤層２４が設けられ、基材シート２の他方面側において、同様に端部に余白を残し、端部寄りに感圧接着剤層２４’が設けられており、基材シート２において、感圧接着剤層２４、２４’が設けられた２箇所の領域がそれぞれ、感圧接着剤層領域２５となっている。
【００３８】
上記巻きつけラベル３２において切り込み部１９、１９’が設けられる１つの態様を図６Ｂに示す。図６Ｂに示す巻きつけラベル３２のように、切り込み部１９、１９’は、２箇所の感圧接着剤層領域２５それぞれにおいて、頂点の向きが、巻きつけ方向５において互いに反対方向となるように１つずつ設けることができる。このとき、切り込み部１９、１９’の位置は、接着領域２１において重ならないようにずらして形成されているが、これに限定されず、切り込み部１９、１９’は、接着領域２１において重なる位置に設けられていてもよく、接着領域２１において、切り込み部１９、１９’の頂点の方向が、巻きつけ方向５の一方側と他方側とに向いていればよい。
【００３９】
また、図６Ｃに示す巻きつけラベル３２のように、切り込み部１９、１９’の２つを、１箇所の感圧接着剤層領域２５において、巻きつけ方向５の一方側に凸の頂点を有する切り込み部と、他方側に凸の頂点を有する切り込み部として設けてもよい。かかる態様の巻きつけラベル３２であっても、対象物２２に巻きつけた際に、接着領域２１において、図４Ｂのような切り込み部が存在する結果となるからである。
【００４０】
基材シート：
次に、本発明に用いられる基材シートについて、説明する。上述においては、本発明における基材シートとして、長方形状の基材シートを用いて説明したが、本発明の基材シートの形状は、長方形状に限定されるものではなく、２箇所の感圧接着剤層を有し、当該感圧接着剤層を互いに向かい合わせて押し圧し、接着させることによって、対象物に巻きつけることが可能な基材シートであれば、いずれの形状の基材シートを採用してもよい。
【００４１】
本発明における基材シートの寸法は、特に制限されない。たとえば、一次駐車整理券、あるいは清算済みの買い物カゴに巻きつけられる巻きつけラベルとして長方形状の基材シートが採用された場合においては、幅方向５０〜７０ｍｍ、縦方向３００〜３１０ｍｍ程度の寸法の基材シートを用いることができるが、これに限定されるものではない。
【００４２】
上記基材シートの材質は、特に制限はないが、耐熱性に優れ、感圧接着剤層を容易に形成することができるという観点からはパルプ紙が好ましい。但し、これに限定されず、感圧接着剤層を上面に形成可能であって、且つ、対象物に容易に巻きつけることができる部材であれば、本発明の基材シートとして適宜選択して使用してよく、たとえば、プラスチック系の合成紙などを用いることもできる。また、基材シートとして紙部材を選択した場合には、基材シートの厚みは、特に限定されないが、接着剤層を形成した際に、必要以上に基材シートがたわむことが防止されるよう留意し、また用途を勘案して適宜選択されることが望ましい。市販のパルプ紙でいえば、中厚、厚口、特厚などの規定の厚みの中から、適宜選択してよい。
【００４３】
本発明における基材シートには、用途に応じて適宜、文字や絵柄を印刷することができる。たとえば、一時駐車整理券として本発明の巻きつけラベルを使用する場合には、駐車の日時などの必要事項が予め印刷される。また清算済みの買い物カゴに巻きつけられることを予定する本発明の巻きつけラベルであれば、「お買い物のお会計は終了しております」など清算済みであることを示す文言などが予め印刷されていてよい。
【００４４】
感圧接着剤：
本発明における感圧接着剤層を構成する感圧接着剤とは、感圧接着剤層同士を手で押さえつければ接着するが、感圧接着剤層と、基材シート表面とを手で押さえつけただけでは接着することがない接着剤をいい、感圧粘着剤を含む。感圧接着剤層がこのような感圧接着剤で構成されることにより、感圧接着剤層同士を互いに当接させて押し圧しない限り接着しないので、本発明の巻きつけラベルを重ねて包装し、あるいは収納することできる。上記感圧接着剤の成分、形態には制限はないが、例えばサイデン化学株式会社製の天然ゴムラテックス系接着剤（エマルジョン）「サイビノール  加圧接着剤  Ｋ」などを挙げることができる。
【００４５】
感圧接着剤層：
上記感圧接着剤を用いて、基材シート上に部分的に２箇所、形成される本発明の感圧接着剤層は、互いに当接し、押し圧することによって接着せしめ、これによって、巻きつけラベルを対象物に巻きつけることを可能とするために設けられるものである。上述において図を用いて説明した感圧接着剤層は、いずれも長方形状の基材シートの幅方向に伸長する帯状に感圧接着剤を塗布して形成される態様を示したが、感圧接着剤層が形成される領域の形状は、当該帯状に限定されるものではない。たとえば長方形状の基材シートの長軸方向に対して、斜めに設けたり、２本以上の複数の帯状として設けたり、あるいは散点状に形成されたドットの集合領域を１つの感圧接着剤層とするなど、任意の形状で設けることができる。
【００４６】
また、上述する本明細書において、感圧接着剤層は、いずれも基材シートの端部に余白を残して形成される例を用いて説明したが、当該説明は本発明を何ら限定するものではなく、本発明において、基材シートの端部に余白を残さず感圧接着剤層が形成される態様を除外するものではない。
【００４７】
以上に説明する本発明の巻きつけラベルは、その製造方法を特に限定されるものではない。たとえば、基材シートを複数枚取りできる、適当な大きさのパルプ紙を用意する。そして、該パルプ紙の長軸方向に並列に複数の基材シートを印刷し、次いで、感圧接着剤層領域の形成が予定される箇所に、所望の切り込み部を、型押し装置などによって基材シートに形成する。次いで、該切り込み部を覆って、基材シートの両端部側に感圧接着剤層が形成されるよう、上記パルプ紙の長軸方向に２列、感圧接着剤を塗布する。感圧接着剤の塗布方法は特に限定されず、従来公知の接着剤（粘着剤）の塗布方法、あるいは印刷方法によって実施することができる。たとえば、フレキソ印刷方式の感圧接着剤塗布装置を使用することができる。
続いて、感圧接着剤が塗布されたパルプ紙を、ベルト・コンベヤー等によって移動させて、乾燥装置を通すことによって乾燥させる。あるいはパルプ紙に塗布された感圧接着剤の乾燥は、自然乾燥であってもよい。最後に、パルプ紙の長軸方向に並列する複数の基材シートを裁断し、本発明の巻きつけラベルが完成する。
【００４８】
尚、基材シートの両面側に、感圧接着剤層が形成される態様の本発明では、まず一方側の感圧接着剤層として感圧接着剤をパルプ紙に塗布した後、該感圧接着剤層を乾燥させ、次いで、パルプ紙の他面側に同様に感圧接着剤を塗布して、両面側に感圧接着剤層を形成することができる。
【００４９】
また上述する本発明の製造方法の例では、感圧接着剤を塗布する前のパルプ紙に所望の形状を切り込むことによって本発明における切り込み部を形成する方法を説明したが、本発明の巻きつけラベルを製造するにあたり、パルプ紙に、先に感圧接着剤を塗布し、その後、感圧接着剤層領域に所望の形状に切り込むことによって切り込み部を形成してもよい。
【符号の説明】
【００５０】
１、３１、３２    巻きつけラベル
２    基材シート
３、２５    感圧接着剤層領域
４、１１、１３、１４、１５、１６，１７、１８、１９、１９’    切り込み部
５    巻きつけ方向を示す矢印
６    感圧接着剤層
１２  非切り込み部
２１  接着領域
２２  対象物
２３、２３’  感圧接着剤層
２４、２４’  感圧接着剤層
【図１】
2011081279.tif 000003
【図２】
2011081279.tif 000004
【図３】
2011081279.tif 000005
【図４】
2011081279.tif 000006
【図５】
2011081279.tif 000007
【図６】
2011081279.tif 000008